(57)【特許請求の範囲】
【請求項１】
被加熱物を載置する耐熱ガラスと、前記耐熱ガラスの下部のコンロ部に設けられ前記被加熱物を加熱する加熱手段と、前記耐熱ガラスの温度を測定する温度測定手段と、前記被加熱物が前記耐熱ガラスに載置されているか否かを判定するための発光素子と受光素子からなる被加熱物有無判定手段と、警告音発生手段と制御部とを備え、前記制御部は電源通電中に前記被加熱物有無判定手段の有効性を判断し、保存し、電源再通電初期時に保存されている前回電源通電時の前記被加熱物有無判定手段の有効性を確認し、無効の場合は加熱機能を非動作させ、前記警告音発生手段は加熱終了後に前記被加熱物を取り去った場合で、前記耐熱ガラスが所定温度を越えるときは警告音を発する構成とした加熱調理器。
【発明の詳細な説明】
【０００１】
【発明の属する技術分野】
本発明は加熱トップ面を耐熱ガラスにて形成し赤外線を放射するランプヒータ式の加熱調理器に関するものである。
【０００２】
【従来の技術】
従来この種の加熱調理器１としては実開平３−７２９０号公報がある。その構成について図６と図７を参照しながら説明する。
【０００３】
被加熱物２が載置されている場合は耐熱ガラス３の高温の加熱ゾーン４に触れることはないが、加熱直後に被加熱物２を取り去ったとき耐熱ガラス３の高温の加熱ゾーン４に手など触れないように注意を喚起するための配慮をしたものである。具体的には、加熱トップ面５は赤外線を透過する耐熱ガラス３にて形成し加熱ゾーン４と非加熱ゾーン６を有し、上面ケース７と接着剤８にて一体化されている。下面ケース９はスプリングバネ１１で支えられた加熱部１０を耐熱ガラス３の裏面に圧接して備え、前記上面ケース７とねじ１２にて固定されている。
【０００４】
前記加熱部１０は加熱トップ面５の加熱ゾーン４直下に設けたもので、内部に赤外線を放射するランプヒータ１３を複数本並行に配設するとともに、上方を加熱トップ面５の耐熱ガラス３に当接したもので、上面ケース７には操作部１４として電源スイッチ１５と加熱部入切スイッチ１６を備えている。そして、前記耐熱ガラス３の直下においてランプケース１７の内側に表示ランプ１８を備え高温表示をするものである。
【０００５】
また、加熱調理器１の動作としては、電源スイッチ１５をＯＮすることにより通電され、加熱部入切スイッチ１６をＯＮすることにより加熱部１０内部の複数本のランプヒータ１３に通電され、発熱し直上部に位置した耐熱ガラス３を透過し鍋などの被加熱物２をふく射と伝導により加熱するもので、加熱後耐熱ガラス３が高温ならば前記表示ランプ１８が動作し高温であることを知らせるものである。
【０００６】
しかしながら、上記従来の加熱調理器１は、耐熱ガラス３の非加熱ゾーン６直下に備えた表示ランプ１８にて高温を表示するもので、注意が喚起できるものの、最も高温な箇所は被加熱物２直下の加熱ゾーン４であり表示箇所としては最適でない。
【０００７】
さらに、加熱トップ面５より被加熱物２を取り去り別の場所（例えば、台所）に持ち運んだ際に、ついうっかりして加熱調理器１より離れたままになり、表示ランプ１８が視野から消えることがある。この間に幼児が、加熱トップ面５が高温になっている加熱調理器１に近づいたとき、これを注意するのを忘れてしまうなどの問題があった。
【０００８】
本発明に先立って、上記課題を解決するために、鍋などの被加熱物を移動させた場合、被加熱物を載置していた耐熱ガラスの加熱トップ面が高温であるときは、発光素子と受光素子からなる被加熱物有無判定手段により被加熱物が取り去られたことを検知し、そのことを報知するために音で警告することにより、加熱調理器より離れていても耐熱ガラスが高温であることがわかるため、幼児が近づいた場合、注意を与えることが出来るようにした発明が出願されている。
【０００９】
【発明が解決しようとする課題】
しかしながら、前記発明でも、被加熱物の有無を発光素子と受光素子により検出しているため、発光素子の光が被加熱物により遮られ受光素子に入らない場合を被加熱物有りと判断していた。
【００１０】
正常な場合は問題ないが、発光素子や受光素子等が故障した場合は、被加熱物がない場合でも受光素子に発光素子からの光が入らないので、被加熱物有りと判断され、音による警告がされない問題があった。
【００１１】
【課題を解決するための手段】
本発明は上記課題を解決するために、制御部は発光素子と受光素子からなる被加熱物有無判定手段の有効性（発光素子や受光素子等の故障）を判断し、無効（故障）の場合は加熱機能を非動作にするようにしたものである。
【００１２】
上記発明によれば、発光素子や受光素子等が故障した場合は、加熱機能を非動作とする事が出来る。
【００１３】
【発明の実施の形態】
本発明は、被加熱物を載置する耐熱ガラスと、前記耐熱ガラスの下部のコンロ部に設けられ前記被加熱物を加熱する加熱手段と、前記耐熱ガラスの温度を測定する温度測定手段と、前記被加熱物が前記耐熱ガラスに載置されているか否かを判定するための発光素子と受光素子からなる被加熱物有無判定手段と、警告音発生手段とを備え、電源通電中に前記被加熱物有無判定手段の有効性を判断・保存し、電源再通電初期時に保存されている前回電源通電時の前記被加熱物有無判定手段の有効性を確認し、無効の場合は加熱機能を非動作させる構成とし、また前記警告音発生手段は加熱終了後に前記被加熱物を取り去った場合で、前記耐熱ガラスが所定温度を越えるときは警告音を発するようにしたものである。
【００１４】
そして、耐熱ガラスが熱いことを音により報知するので、分別のつかない幼児が加熱調理器に近づいたとき、注意することができ、また発光素子や受光素子等が故障した場合は、加熱機能を非動作とすることができる。
【００１５】
以下、本発明の一実施例について図面を用いて説明する。
【００１６】
（実施例１）
図２は本発明の実施例１の加熱調理器１の外観図である。また図１は同加熱調理器の断面図である。
【００１７】
図において、加熱調理器１は上面ケース７と下面ケース９とを結合した構成である。そして、上面ケース７は被加熱物２を載置する耐熱ガラス３を含み上面部を形成する加熱トップ面５と、電源スイッチ１５と加熱部入切スイッチ１６等からなる操作部１４とを有している。また、下面ケース９は耐熱ガラス３の下方に設けられ、加熱手段としての赤外線を放射するランプヒータ１３と温度測定手段としての温度センサー１９とを内蔵した加熱部１０を備え、また加熱部１０の内部には温度センサー１９が耐熱ガラス３に当接するよう働くバネ２０を備えた構成となっている。
【００１８】
なお、本実施例では温度センサー１９は段付きガイド筒２１の内部に設けられている。また、耐熱ガラス３の大きさは加熱部１０の大きさより大きい。したがって、耐熱ガラス３は加熱部１０により直接加熱される加熱ゾーン４と直接は加熱されない非加熱ゾーン６とより構成されている。
【００１９】
さらに、本実施例では上面ケース７は耐熱ガラス３の外側の外周部にマウント部Ａ２２とマウント部Ｂ２３を互いに対向するように備えるとともに、被加熱物有無判定手段としてマウント部Ａ２２内部に発光素子２４を、マウント部Ｂ２３内部に受光素子２５、及び発光素子からの光を通すための小孔Ａ２６と小孔Ｂ２７を備えている。
【００２０】
制御部２８はマイクロコンピューター（図示せず）を内蔵し、発光素子２４、受光素子２５、温度センサー１９、ランプヒータ１３、ブザー２９及び加熱調理器１の故障を知らせるエラー表示ランプ３０等を制御する。
【００２１】
図１及び図２の構成において動作を説明する。加熱調理器１は電源スイッチ１５をＯＮすることにより通電され、加熱部入切スイッチ１６をＯＮすることにより加熱部１０内部の複数本のランプヒータ１３に通電され、発熱し直上部の耐熱ガラス３を加熱するとともに透過し鍋などの被加熱物２を伝導と輻射により加熱する。このとき、耐熱ガラス３の温度は被加熱物２の底の形状および材質により異なるものの３５０℃〜４５０℃となる。加熱終了は加熱部入切ＳＷ１６をＯＦＦすれば加熱部１０内部の複数本のランプヒータ１３がＯＦＦするものの、発光素子２４と受光素子２５、温度センサー１９及び制御部２８の動作機能はＯＮのままである。
【００２２】
従って、加熱部入切ＳＷ１６のＯＦＦにより加熱終了し加熱トップ面５より被加熱物２を取り去ると高温の耐熱ガラス３の温度を温度センサー１９にて検出するとともに発光素子２４からの光は小孔Ａ２６を透過し受光素子２５が小孔Ｂ２７を介して受光することによりブザー２９がＯＮされて警告音を発する。
【００２３】
そして、警告音が発せられたままにて報知しておいた場合は耐熱ガラス３の温度が６０℃〜７５℃に低下したことを温度センサー１９が検知すると、ブザー２９がＯＦＦし警告を終了することになる。この温度は短時間手を触れても火傷に至らず熱いと感じるレベルである。通常、加熱終了後から耐熱ガラス３の温度が６０℃〜７５℃に低下するまでに約３０分程度かかる。
【００２４】
なお、警告を停止する所定の温度として６０〜７５℃のうちのいずれかの温度を越えないようにしたのは、７５℃以上の場合触れると熱すぎるし、６０℃より低い温度とすると警告音が停止するのに時間がかかりすぎ実用的でなくなるからである。勿論強制冷却等の手段による場合はこの温度に限定されるものではない。
【００２５】
また、加熱中は加熱トップ面５より被加熱物２を取り去ったとしてもブザー２９による警告音は発しない。これは、加熱部１０内部の複数本のランプヒータ１３が発熱し赤外線を放射しているため運転中であることが明らかであるので、耐熱ガラス３に触れることがないことと、加熱の継続動作と判断するためである。つまり、このとき、前記同様に警告音を発すると使い勝手が悪くなる。
【００２６】
さらに、被加熱物２を載置せずに、電源スイッチ１５と加熱部入切スイッチ１６をＯＮし通電を開始した場合（空焚き）にも、加熱部入切スイッチ１６をＯＦＦすれば、前記同様にブザー２９がＯＮされて警告音を発する。
【００２７】
いままで、ブザー２９による警告音にて述べてきたが、熱いですよという音声を流す、メロディーを流すなどの手段でももちろん可能である。
【００２８】
次に、発光素子２４と受光素子２５からなる被加熱物有無判定手段の有効性を判断する動作について図３のフローチャートに基づいて説明する。
【００２９】
電源スイッチ１５をＯＮすると、まずステップ１において発光素子２４と受光素子２５からなる被加熱物有無判定手段の有効性を判断する。発光素子２４からの光が受光素子２５に受光するかどうかで判断するものであり、受光すれば有効（正常）であり、ステップ２からステップ５の動作を行う。正常時の動作はすでに前記しているので省略する。
【００３０】
受光しない場合は、無効となり、発光素子２４、受光素子２５、制御部２８などの故障であり、次にステップ６に進み、エラー表示ランプ３０を点滅させ注意を喚起する。そして、ステップ７で加熱部入切スイッチ１６をＯＮしてもランプヒーター１３はＯＮしない。すなわち、無効（故障）状態では加熱機能は動作しなくなる。
【００３１】
但し、被加熱物２が耐熱ガラス３上に置かれている場合でも、受光しないので、前記無効状態と同じ状態になるが、一度被加熱物２を耐熱ガラス３から持ち去れば、受光できるので、有効状態のステップ２に進むことができる。
【００３２】
（実施例２）
図２は実施例１と同様に本発明の実施例２の加熱調理器１の外観図である。また図４は同加熱調理器１の断面図であり、構成において実施例１と異なる点は制御部２８に記憶素子３１が接続されている点のみであり同一符号の構成の説明は省略する。また正常時の基本動作も実施例１と同じであるので省略する。
【００３３】
次に、発光素子２４と受光素子２５からなる被加熱物有無判定手段の有効性を判断する動作について図５のフローチャートに基づいて説明する。
【００３４】
電源スイッチ１５をＯＮすると、まずステップ１において前回電源通電時の発光素子２４と受光素子２５からなる被加熱物有無判定手段の有効性を判断する。前回電源通電時の被加熱物有無判定手段の有効性は記憶素子３１に記憶されている。記憶素子３１に有効（正常）と記憶されていれば、次にステップ２に進み、発光素子２４と受光素子２５からなる被加熱物有無判定手段の有効性を判断する。発光素子２４からの光が受光素子２５に受光するかどうかで判断するものであり、今回の電源通電中に１回でも受光すれば有効（正常）であり、ステップ３に進み、記憶素子３１に被加熱物有無判定手段が有効であることを記憶させる。今回の電源通電中に１回も受光しない場合は、無効となり、発光素子２４、受光素子２５、制御部２８などの故障であると判断する。そして、ステップ４に進み、記憶素子３１に被加熱物有無判定手段が無効であることを記憶させる。それ以後のステップ５からステップ８は実施例１と同様であり省略する。
【００３５】
記憶素子３１に無効（故障）と記憶されていれば、次にステップ９に進む。以後の動作は実施例１と同様であり省略する。
【００３６】
【発明の効果】
以上説明したように、本発明の加熱調理器によれば、次の効果が得られる。
【００３７】
制御部は、電源通電中に発光素子と受光素子からなる被加熱物有無判定手段の有効性を判断し、保存し、電源再通電初期時に保存されている前回電源通電時の被加熱物有無判定手段の有効性を確認し、無効（受光素子、発光素子、制御部などが故障）時には、加熱機能を動作させない構成とすることにより、受光素子、発光素子、制御部などの故障時には、加熱機能が動作しないので、耐熱ガラスが高温になることはなく、加熱終了後に被加熱物を取り去ったとき耐熱ガラスが高温であることを知らせる音による警報がされずに、加熱調理器より離れた場合などに幼児が近づいた場合でも安全である。
【図面の簡単な説明】
【図１】  本発明の実施例１の加熱調理器の断面図
【図２】  同実施例１及び実施例２における加熱調理器の外観図
【図３】  同実施例１の加熱調理器の動作フローチャート
【図４】  本発明の実施例２における加熱調理器の断面図
【図５】  同加熱調理器の動作フローチャート
【図６】  従来の加熱調理器の外観図
【図７】  同加熱調理器の断面図
【符号の説明】
２  被加熱物
３  耐熱ガラス
１０  加熱部
１９  温度センサー
２４  発光素子
２５  受光素子
２８  制御部
２９  警告音発生手段
３１  記憶素子
【図１】
0003713878.tif 000002
【図２】
0003713878.tif 000003
【図３】
0003713878.tif 000004
【図４】
0003713878.tif 000005
【図５】
0003713878.tif 000006
【図６】
0003713878.tif 000007
【図７】
0003713878.tif 000008